(57)【要約】【課題】  安定に積み重ねることができる保冷保温容器の提供。【解決手段】  底面部とその周縁から立設した断熱性を有する側壁部とからなる容器本体４と、該容器本体の開口を塞ぐ開閉可能な蓋とを備えた保冷保温容器であって、前記容器本体の側壁部外面に固定された把手１０と、該把手に設けられた把手固定帯部１３とを備え、前記把手固定帯部に、保冷保温容器を複数段に積み重ねた際、上段にある保冷保温容器の把手または下段にある保冷保温容器の把手に把手固定帯部を通して双方の把手を締め付け状態で着脱可能に固定する固定手段が設けられたことを特徴とする保冷保温容器。【選択図】  図６
2005041555.tif 000002
【特許請求の範囲】
【請求項１】
底面部とその周縁から立設した断熱性を有する側壁部とからなる容器本体と、該容器本体の開口を塞ぐ開閉可能な蓋とを備えた保冷保温容器であって、前記容器本体の側壁部外面に固定された把手と、該把手に設けられた把手固定帯部とを備え、前記把手固定帯部に、該保冷保温容器を複数段に積み重ねた際、上段にある保冷保温容器の把手または下段にある保冷保温容器の把手に把手固定帯部を通して双方の把手を締め付け状態で着脱可能に固定する固定手段が設けられたことを特徴とする保冷保温容器。
【請求項２】
前記蓋の上面側が実質的に平坦に形成された請求項１に記載の保冷保温容器。
【請求項３】
前記把手が、前記側壁部の相対する２つの側壁にそれぞれ上下二段に設けられ、上側の第１の把手と下側の第２の把手との一方又は両方に前記把手固定帯部が設けられた請求項１又は２に記載の保冷保温容器。
【請求項４】
底面部とその周縁から立設した側壁部とからなる容器本体と、該容器本体の開口を塞ぐ開閉可能な蓋と、前記側壁部外面に固定された把手とを備えた複数の容器を複数段に積み重ねて安定に保持する容器段積み方法であって、複数段に積み重ねたいずれかの容器の前記把手と、その容器の上段にある保冷保温容器の把手または下段にある容器の把手とを固定手段によって締め付け状態で着脱可能に固定することを特徴とする容器段積み方法。
【請求項５】
前記容器が、底面部とその周縁から立設した断熱性を有する側壁部とからなる容器本体と、該容器本体の開口を塞ぐ開閉可能な蓋と、前記側壁部外面に固定された把手とを備えた保冷保温容器である請求項４に記載の容器段積み方法。
【請求項６】
前記容器が、請求項１〜３のいずれかに記載の保冷保温容器である請求項４又は５に記載の容器段積み方法。
【請求項７】
前記固定手段が、前記把手から離脱可能な固定部材である請求項４又は５に記載の容器段積み方法。
【発明の詳細な説明】
【技術分野】
【０００１】
本発明は、食品や医薬品等の保冷保温が必要な商品を配送する際などに用いる保冷保温容器及び容器段積み方法に関する。
【背景技術】
【０００２】
従来、保冷保温容器としては、遮熱シート製で平面形矩形状とする有底箱状ケース本体の、四側面の中の相対する一対の側面には断熱板を組み合わせて耐圧側壁部に形成すると共に、残る一対の側面となる側壁部、および四側面の下端縁全てに縫合される底面部は、共に遮熱シート製のままで折り畳み自在に形成した上、一対の側壁部の内側には、有底箱形ケース本体の隅角部に縫合された遊びシート部の他端側に接続され、断熱板を組み合わせてなる耐圧断熱層部が添設、離反可能に組み合わされると共に、一対の耐圧側壁部の中の何れか一方の上端縁には、断熱板の組み合わされた耐圧蓋部の一外周縁を開閉自在に縫合する一方、同耐圧蓋部の四外周縁の中の少なくとも一対の相対する外周縁から夫々上方に向けて連結帯部を突設すると共に、それら連結帯部に対応する一対の耐圧側壁部および／または一対の側壁部の夫々の下端寄り外側面で、前記連結帯部の突設構造に対応する箇所に、他の有底箱形ケース本体の耐圧蓋部の外側に突設、形成してある連結帯部との間で着脱可能とする仮着部を形成した断熱性格納ケースが提案されている（例えば、特許文献１参照。）。
【特許文献１】特許第３３１２８７８号公報
【発明の開示】
【発明が解決しようとする課題】
【０００３】
特許文献１に記載された断熱性格納ケースは、耐圧蓋部の外周縁から連結帯部を突設し、ケース本体の下端部に仮着部を設け、ケースを積み重ねる際に下側のケースの連結帯部を上側のケースの仮着部に止めて崩れ防止を図っている。しかしながら、重い内容物を収容したケースを積み重ねる場合、耐圧蓋部自体は軽く、しかも開け易く閉められており、上側のケースは下側のケースの耐圧蓋部に設けられた連結片で止められているために、積み重ねたケースの搬送時に振動や衝撃が加わると、上側のケースが傾いて、下側のケースの耐圧蓋部が開いて上側のケースが倒れ易いという問題がある。
またこの従来の断熱性格納ケースは、耐圧蓋部の外側に突設した連結帯部に対応する、ケース本体の下端部に仮着部を設ける必要があり、この仮着部を縫製するために原料コスト及び加工コストが増加する問題がある。また、面ファスナー等からなる仮着部は塵や湿気が付着しやすいため、ケースを衛生的に使用するためには頻繁に清掃や乾燥を行わなければならず、手間がかかる問題がある。
さらに、この従来の断熱性格納ケースは、ケースの持ち運び、積み重ねの際に持ち易いように、ケース本体外周の対向する２つの面に帯状把手部を設けているが、この帯状把手部は揺動自在であるため、ブラブラして積み重ね作業等の邪魔になる問題がある。
【０００４】
本発明は前記事情に鑑みてなされたもので、取り扱い性に優れ、安定に積み重ねることができる保冷保温容器の提供を目的としている。
【課題を解決するための手段】
【０００５】
前記目的を達成するために本発明は、底面部とその周縁から立設した断熱性を有する側壁部とからなる容器本体と、該容器本体の開口を塞ぐ開閉可能な蓋とを備えた保冷保温容器であって、前記容器本体の側壁部外面に固定された把手と、該把手に設けられた把手固定帯部とを備え、前記把手固定帯部に、該保冷保温容器を複数段に積み重ねた際、上段にある保冷保温容器の把手または下段にある保冷保温容器の把手に把手固定帯部を通して双方の把手を締め付け状態で着脱可能に固定する固定手段が設けられたことを特徴とする保冷保温容器を提供する。
本発明の保冷保温容器において、前記蓋の上面側が実質的に平坦に形成されていることが好ましい。
また、前記把手は、前記側壁部の相対する２つの側壁にそれぞれ上下二段に設けられ、上側の第１の把手と下側の第２の把手との一方又は両方に前記把手固定帯部が設けられたことが好ましい。
【０００６】
また本発明は、底面部とその周縁から立設した側壁部とからなる容器本体と、該容器本体の開口を塞ぐ開閉可能な蓋と、前記側壁部外面に固定された把手とを備えた複数の容器を複数段に積み重ねて安定に保持する容器段積み方法であって、複数段に積み重ねたいずれかの容器の前記把手と、その容器の上段にある保冷保温容器の把手または下段にある容器の把手とを固定手段によって締め付け状態で着脱可能に固定することを特徴とする容器段積み方法を提供する。
本発明の容器段積み方法において、前記容器が、底面部とその周縁から立設した断熱性を有する側壁部とからなる容器本体と、該容器本体の開口を塞ぐ開閉可能な蓋と、前記側壁部外面に固定された把手とを備えた保冷保温容器であってよい。
また前記容器は、前記保冷保温容器であってよい。
さらに本発明の容器段積み方法において、前記固定手段は、前記把手から離脱可能な固定部材であってよい。
【発明の効果】
【０００７】
本発明の保冷保温容器は、容器本体の側壁部外面に固定された把手と、該把手に設けられた把手固定帯部とを備え、前記把手固定帯部に、保冷保温容器を複数段に積み重ねた際、上段にある保冷保温容器の把手または下段にある保冷保温容器の把手に通して双方の把手を締め付け状態で着脱可能に固定する固定手段を設けて構成したので、上下の保冷保温容器の積み重ね状態が安定し、上側の保冷保温容器がずれたり崩れたりせずに搬送できる。搬送中、振動や衝撃が加わった際、上側の保冷保温容器が傾いたとしても、上下の保冷保温容器の容器本体に設けられた把手同士を固定するために、上側の保冷保温容器が倒れ難くなり、下段容器の耐圧蓋部から突設した部材を上段容器の側壁部下端に仮止めする場合と比べて崩れにくくすることができる。
また、下段の保冷保温容器の連結帯部に対応する仮着部を容器本体に設ける必要がなくなり、原料コスト及び加工コストを低減できる。また、仮着部が不要となり、容器本体の外面に塵や湿気が付着し難くなり、且つ清掃が容易となるなど、衛生上好ましい構造となる。
さらに、積み重ねた上下の保冷保温容器の把手を固定する構造なので、把手がブラブラせず、積み重ね作業等の邪魔になることがなくなる。
本発明の容器段積み方法によれば、把手を持つ容器又は保冷保温容器を積み重ねて安定に保つことができる。
【発明を実施するための最良の形態】
【０００８】
以下、図面を参照して本発明を説明する。
図１〜５は本発明の保冷保温容器の一例を示す図であり、図１は保冷保温容器１の耐圧蓋部５を開けた状態の斜視図、図２は同じ保冷保温容器１の耐圧蓋部５を閉めた状態の斜視図、図３は同じ保冷保温容器１の第１の把手１０と把手固定帯部１３とを示す斜視図、図４は同じ保冷保温容器１の折り畳み状態を示す斜視図、図５は同じ保冷保温容器１の断面図である。
【０００９】
この保冷保温容器１は、容器本体４とその開口を塞ぐ開閉可能な蓋とを有し、該蓋を閉じた状態で中空直方体形状をなす遮熱シート外装体７と、該遮熱シート外装体７の内面側に沿って配置された発泡樹脂板６ａを有する断熱材６とを備え、遮熱シート外装体７の四辺の側壁部のうち一対の側壁部に前記断熱材６を固定すると共に、残る一対の側壁部に断熱材６を着脱可能に取り付けて耐圧側壁部３を形成し、且つ蓋に断熱材６を固定して耐圧蓋部５を形成した構成になっている。なお、以下の記載において、前記四辺の耐圧側壁部３のうち、矩形をなす底面部２の長辺側に立設された部分を長辺側の耐圧側壁部３、底面部２の短辺側に立設された部分を短辺側の耐圧側壁部３と記す。
【００１０】
また、この保冷保温容器１は、容器本体４の側壁部外面に固定された上側の第１の把手１０及び下側の第２の把手１２と、第１の把手１０に設けられた把手固定帯部１３とを備えている。この把手固定帯部１３には、保冷保温容器１を複数段に積み重ねた際、上段にある保冷保温容器１の第２の把手１２に把手固定帯部１３を通して双方の把手を締め付け状態で着脱可能に固定する固定手段が設けられている。
【００１１】
前記耐圧蓋部５の辺縁のうち、遮熱シート外装体７と縫着された片方の長辺側を除く３つの辺縁には、それぞれ連結片８が突設されている。また耐圧側壁部３の上端部外面には、前記連結片８が係止される係止部８が設けられている。この耐圧蓋部５を下げて容器本体４の開口を塞ぎ、それぞれの連結片８を係止部９に係止することで、容器本体４が閉じられるようになっている。連結片８が係止部９に係止された状態では、係止部９は連結片８に覆われ、余分な凹凸や面シートが露出していない状態になっている。容器本体４が閉じられた状態において、耐圧蓋部５の上面側は、段積みが容易となるように、実質的に平坦な面になっている。
【００１２】
前記遮熱シート外装体７は、保冷保温容器の耐圧側壁部３の一部として機能すると共に、保冷保温及び断熱性能を高める機能を果たすものである。材料の遮熱シートとしては、例えばポリエチレンテレフタレートなどのポリエステル、ポリエチレン等の合成樹脂フィルムにアルミニウムまたはその他金属を蒸着した反射膜層あるいはアルミニウムまたはその他金属の箔を積層した反射膜層を有する積層シートが用いられる。この反射膜層により輻射熱の放出や侵入を阻止し、保冷保温及び断熱性能を高め得る。
【００１３】
本例において遮熱シート外装体７は、矩形状の底面部２と、その周縁から立設され、断熱材６が取り付けられる耐圧側壁部３と、その長辺側の一辺から延出され、断熱材６が取り付けられる耐圧蓋部５とからなっている。隣り合う耐圧側壁部３の側端縁同士は縫着されている。また、係止部９は耐圧側壁部３の上端部外面に縫着または接着されている。また、耐圧側壁部３の短辺側の二辺の外面には、保冷保温容器１を搬送する際に掴むための第１の把手１０が縫着又は接着されている。
【００１４】
この遮熱シート外装体７の内部及び耐圧蓋部５に取り付けられた断熱材６は、発泡樹脂板６ａを遮熱シート６ｂで覆った構成になっている。この発泡樹脂板６ａの材料としては、従来から発泡樹脂成形品製造のために用いられている樹脂材料の中から適宜選択して用いることができ、特に限定されず、例えば、ポリスチレン、ハイインパクトポリスチレン、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等を挙げることができ、強度と成形性の良さからポリスチレン系樹脂が好ましい。
【００１５】
前記連結片８と係止部９との係止構造は、連結片８を係止部９に着脱可能であればよく、特に限定されないが、例えば面ファスナー、一方に鉤止め孔、他方にフックやホック等の止め金具を設けた釦、スナップ、着脱用のバックルを有する連結金具、金属環とそれに係合する鉤形金具、磁石と磁石、又は磁石と強磁性体片との組合せなどの係止構造の中から適宜選択して用いることができる。本例示では、連結片８の端部と係止部９とに対をなす面ファスナーを固定した構成になっている。
【００１６】
前記把手固定帯部１３は、把手同士の締め付け操作が可能なように、変形自在な帯状体でありその材質は特定されないが、面ファスナー等の固定手段を縫着した布、合成樹脂シート、これらの積層材料等が使用される。本例示において、把手固定帯部１３は、第１の把手１２に縫着された固定部１４を一端側に有する基部１５と、延出部１６とからなっている。基部１５の表面には面ファスナーの一方が固定されており、延出部１６には、該基部１５表面の面ファスナーと着脱可能に係止される面ファスナーの他方が固定されている。把手固定帯部１３の長さは、把手同士を固定する際に、延出部１６を上段側の保冷保温容器１の第２の把手１２に通して基部１５側に戻し、締め付け状態としながら、延出部１６の面ファスナーを基部１５の面ファスナーに係止可能な長さに設定されている。この把手固定帯部１３の長さが過度に長いと、把手同士を固定した後に余剰部分がブラブラして邪魔になるおそれがある。なお、この把手固定帯部１３に設けられる固定手段としては、前記面ファスナーの他、一方に鉤止め孔、他方にフックやホック等の止め金具を設けた釦、スナップ、着脱用のバックルを有する連結金具、金属環とそれに係合する鉤形金具、磁石と磁石、又は磁石と強磁性体片との組合せなどを用いることもできる。
【００１７】
本例では、耐圧側壁部３を構成している断熱材６のうち、長辺側の耐圧側壁部３では、遮熱シート外装体７と断熱材６とを縫着又は接着し、短辺側の耐圧側壁部３では、断熱材３を固着せず、あるいは断熱材６の側端縁の一方のみを遮熱シート外装体７に縫着することによって、保冷保温容器１が折り畳み可能な構造になっている。
図４は、この保冷保温容器１を折り畳む状態を説明するための図である。この保冷保温容器１を折り畳むには、まず、耐圧蓋部５を、その天面側が耐圧側壁部３に接するまで開き、短辺側の２つの断熱材６を取り外して容器本体４内の他の断熱材６と重ね合わせる。次いで遮熱シート７の短辺側を折り込んで、全体を押し畳み、図４に示すようにコンパクトに折り畳んだ後、折り畳み状態を維持するように適所に設けたストラップ１１で止める。このように折り畳むことで、搬送後に回収した保冷保温容器１を保存しておくスペースを有効利用することができる。折り畳んだ保冷保温容器１は、ストラップ１１を解放し、遮熱シート本体７を広げ、短辺側にそれぞれ断熱材６を嵌め込んで箱状に戻す簡単な操作によって復元できる。
【００１８】
この保冷保温容器１は、容器本体４の耐圧側壁部３外面に固定された第１の把手１０と、該第１の把手１０に設けられた把手固定帯部１３とを備え、把手固定帯部１３に、保冷保温容器１を複数段に積み重ねた際、上段にある保冷保温容器１の第２の把手１２に通して双方の把手を締め付け状態で着脱可能に固定する面ファスナー等の固定手段を設けて構成したので、上下の保冷保温容器１の積み重ね状態が安定し、上側の保冷保温容器１がずれたり崩れたりせずに搬送できる。搬送中、振動や衝撃が加わった際、上側の保冷保温容器１が傾いたとしても、上下の保冷保温容器１の容器本体４に設けられた把手同士を固定したために、上側の保冷保温容器１が倒れ難くなり、下段容器の耐圧蓋部５から突設した部材を上段容器の側壁部下端に仮止めする場合と比べて崩れにくくすることができる。
また、下段の保冷保温容器１の連結帯部に対応する仮着部を容器本体に設ける必要がなくなり、原料コスト及び加工コストを低減できる。また、仮着部が不要となり、容器本体の外面に塵や湿気が付着し難くなり、且つ清掃が容易となるなど、衛生上好ましい構造となる。
さらに、積み重ねた上下の保冷保温容器１の把手を固定する構造なので、把手がブラブラせず、積み重ね作業等の邪魔になることがなくなる。
【００１９】
次に、本発明に係る容器段積み方法について説明する。本発明の容器段積み方法は、側壁部に把手を有する容器を複数段に積み重ね、いずれかの容器の把手と、その容器の上段にある保冷保温容器の把手または下段にある容器の把手とを固定手段によって締め付け状態で着脱可能に固定することを特徴としている。この容器としては、外壁部に把手を有し、段積みすることが可能な構造を有する合成樹脂製容器、布製容器、金属製容器などの各種用途に用いられる容器を挙げることができ、例えば前記保冷保温容器１を用いて実施し得る。
【００２０】
図６は、本発明の容器段積み方法の一例として、二つの保冷保温容器１を積み重ね、それぞれの把手を固定した状態を示している。２つの保冷保温容器１を積み重ねる場合、図６に示すように、下側の保冷保温容器１の耐圧蓋部５上に上側の保冷保温容器１を載せ、下段の保冷保温容器１の第１の把手１０に設けられた把手固定帯部１３の延出部１６を、上段の保冷保温容器１の第２の把手１２に通し、その延出部１６を基部１５側に折り返して引っ張り、把手同士を締め付けた状態とし、延出部１６の面ファスナーを基部１５の面ファスナーに押しつけて係止させる。
【００２１】
本例示では、保冷保温容器１の各耐圧側壁部のうち、２つの短辺側の耐圧側壁部３にそれぞれ第１の把手１０と第２の把手１２とを設けた構成になっている。２つの短辺側の耐圧側壁部３について、前記把手固定帯部１３による把手同士の固定を行うことにより、下段の保冷保温容器１上に積み重ねた上段側の保冷保温容器１が、搬送時にずれたり倒れたりし難い状態で固定される。搬送中、振動や衝撃が加わった際、上段側の保冷保温容器１が傾いたとしても、把手が容器本体４に固定されており、容器本体４の内容物の重量が加わるために、上側の保冷保温容器１が倒れ難くなり、下段容器の耐圧蓋部５から突設した部材を上段容器の側壁部下端に仮止めする場合と比べて崩れ難くすることができる。
【００２２】
なお、図６においては上段の第１の把手１０に把手固定帯部１３を省略しているが、保冷保温容器１を３段以上、段積みする場合にも、図６に示す２段積みと同じ要領で段積みし、把手同士を固定して位置ズレや落下を防止することができる。すなわち、それぞれの第１の把手１０に把手固定帯部１３を設けた保冷保温容器１を３段積みした場合、最下段の保冷保温容器１の把手固定帯部１３を引き上げ、その延出部１６を中段の保冷保温容器１の第２の把手１２を通して折り返し、把手同士を締め付け状態とし、延出部１６を基部１５に係止する。同様にして、中段の保冷保温容器１の第１の把手１０と、最上段の保冷保温容器１の第２の把手１２とを固定する。
【００２３】
段積みされた保冷保温容器１を下ろす際には、把手同士を固定している把手固定帯部１３の延出部１６を基部１５から外し、把手固定帯部１３を第２の把手１２から外し、固定状態を解除する。その後、第２の把手１２（又は第１の把手１０）を掴んで上段の保冷保温容器１を下ろすことができる。
本発明の容器段積み方法によれば、把手を持つ容器又は保冷保温容器を積み重ねて安定に保つことができる。
【００２４】
なお、前述した例示は本発明の具体例に過ぎず、本発明は前記例示にのみ限定されるものではない。例えば、本発明において、容器又は保冷保温容器に設ける把手の数、配置等は前記の例示に限定されず、１つ以上の把手を適所に配置することができる。さらに、把手固定帯部１３は第２の把手１２側に設けることもできる。
また、本発明の方法において、把手固定帯部１３に代えて把手から離脱可能な固定部材を用いることもできる。この種の固定部材としては、例えば、面ファスナーを取り付けた帯状体、合成樹脂製クリップ、錠のような金属製固定具、一方に鉤止め孔、他方にフックやホック等の止め金具を設けた釦、スナップ、着脱用のバックルを有する連結金具、金属環とそれに係合する鉤形金具、磁石と磁石、又は磁石と強磁性体片との組合せなどの係止構造などを挙げることができる。
さらに、把手固定帯部１３は第１の把手１０に縫着して固定する以外に、一端部をリング状としてこのリングを第１の把手１０に通し、変位可能に固定することもできる。
【図面の簡単な説明】
【００２５】
【図１】本発明の保冷保温容器の第１の例を示し、保冷保温容器の耐圧蓋部を開けた状態の斜視図である。
【図２】同じ保冷保温容器の耐圧蓋部を閉めた状態の斜視図である。
【図３】同じ保冷保温容器の把手と把手固定帯部を示す斜視図である。
【図４】同じ保冷保温容器の折り畳み状態を示す斜視図である。
【図５】同じ保冷保温容器の断面図である。
【図６】２つの保冷保温容器を段積みした状態を示す斜視図である。
【符号の説明】
【００２６】
１…保冷保温容器、２…底面部、３…耐圧側壁部（側壁部）、４…容器本体、５…耐圧蓋部（蓋）、６…断熱材、６ａ…発泡樹脂板、６ｂ…遮熱シート、７…遮熱シート外装体、８…連結片、９…係止部、１０…第１の把手、１１…ストラップ、１２…第２の把手、１３…把手固定帯部、１４…固定部、１５…基部、１６…延出部。
【図１】
2005041555.tif 000003
【図２】
2005041555.tif 000004
【図３】
2005041555.tif 000005
【図４】
2005041555.tif 000006
【図５】
2005041555.tif 000007
【図６】
2005041555.tif 000008